Podtech/llm-jp-corpus-v4-ja_patent huggingface dataset:
(57)【要約】【課題】刷毛を使い終わった後に消耗の激しい部分だけを交換できる様にするために部品化した、束ねた毛の部品１と柄の部品２に分けられる着脱式刷毛を提供する。【解決手段】刷毛の柄と毛の部分を分割して、束ねた毛の部品１と柄の部品２とする。例えば柄の部品２にクリップの様な接続部品３を取り付け、固定する部位４で挟み、部品のみの交換、組み合わせの用途が広がるようにする。【選択図】        図２
2005224554.tif 000002
【特許請求の範囲】
【請求項１】
刷毛の束ねた毛の部分と柄を独立させ各々を部品として使用できるようにした着脱式刷毛
【発明の詳細な説明】
【発明の詳細な説明】
【技術分野】
【０００１】  本発明は、使用後に損傷の激しい部品を交換できるように刷毛の束ねた毛の部分と柄を部品化し、用途にも合わせて交換して使用できるようにしたものである
【背景技術】
【０００２】  従来は、束ねた毛の部分などを交換できる刷毛は無かった。
【発明が解決しようとする課題】
【０００３】  使用後の刷毛の毛先など損傷の激しい部分としっかりした柄の部分では、現実には部分毎に耐久性が違っている。短い耐久性の部分が１本の刷毛の耐久性になってしまっていた。また一本の使いやすい柄で様々な毛を選べなかった。本発明品はこの課題を解消するためになされたものである。
【課題を解決するための手段】
【０００４】  刷毛の束ねた毛の部品１と柄の部品２を分割させた部品として、束ねた毛の部品１又は、柄の部品２に接続する部品３を取り付けた。これによって使用後の毛の交換が可能になり、また毛と柄の組み合わせの用途が広がった。
【発名の実施の形態】
【０００５】以下、本発明品の実施の形態について説明する。
（イ）刷毛の束ねた毛の部品１と柄の部品２を独立させた部品とする。
（ロ）例えばクリップ方式の様な形態で刷毛の束ねた毛の部品１又は柄の部品２に接続部品３を取り付け、固定する部位４を挟み込み束ねた毛の部品１又は柄の部品２を固定させる。
【発明の効果】
【０００６】  使用後の毛先が傷んだ場合に、束ねた毛の部品１だけを容易に交換でき、廃却量も単純に１／２以下になる。当然購入コストも安くなり、使用する部位に合わせて１本の柄で長さ、幅、質の違う束ねた毛の部品１を選択して使い分けが出来る。
【図面の簡単な説明】
【図１】本発明品の側面図である。
【図２】本発明品の平面図である。
【符号の説明】
１束ねた毛の部品
２柄の部品
３接続する部品
４固定する部位
【図１】
2005224554.tif 000003
【図２】
2005224554.tif 000004
(57)【要約】【課題】スプーン形状のスプーン兼フォーク。スプーンには掬う機能、フォークには刺し掬う機能を持つが、食事に際しどちらを使うかは個々人がその場に応じて判断し、その都度持ち替えて使用している。これをスプーンにフォーク機能を持たせて一体化した食器を考案する。【解決手段】スプーン形状にスプーンの機能を維持したままフォーク串部をどのように形成するかが問題となるが、フォーク串部をスプーンの中心部からやや先端寄りを起点とする外側エッジに沿った数本の曲線形で形成することでフォーク串部の長さを確保するとともに、スプーンの物を掬い溜める機能を維持し実用性を図る。もう一方の串部とならない三角形状の部分はスプーンの物を掬い確保する機能としてそのまま維持し実用性を図る。【選択図】図１
2005224552.tif 000002
【特許請求の範囲】
【請求項１】
スプーンにフォークの機能を持たせたスプーン兼フォークを実現する。
この場合のフォーク串部はスプーン片方側面の中心部よりやや先端寄りを起点とする数本の外側エッジに沿った内向曲線形で形成するが、この方法により串の実用的な長さを確保するとともに、スプーン底部の食物保留機能を確保し両方の実用性を図る。
フォーク串部としないもう一方の側辺部は幅広の三角形状となっているが、この部分はスプーンの物をすくう機能としての実用性を維持する。
【発明の詳細な説明】
【技術分野】
【０００１】この考案はスプーン形状のまま、スプーンとフォークの両方の機能を一体化した食器である。
【背景技術】
【０００２】スプーンとフォークは機能が異なるため、別々なものとして各々製品化されているが、スプーンの形状をそのまま生かしスプーンとフォークの機能を一本の食器として考案したものである。
【発明の開示】
【発明が解決しようとする課題】
【０００３】スプーンには掬う機能、フォークには刺し掬う機能を持つが、食事に際しどちらを使うかは個々人がその場に応じて判断し、その都度持ち替えて使用している。これを一体化してスプーンにフォーク機能を持たせる。
【課題を解決するための手段】
【０００４】スプーン形状にスプーンの機能を維持したままフォーク串部をどのように形成するかが問題となるが、フォーク串部をスプーンの中心部からやや先端寄りを起点とする外側エッジに沿った曲線形で形成することでフォーク串部の長さを確保するとともに、スプーンの物を掬い溜める機能を維持し実用性を図る。
もう一方の串部とならない三角形状の部分はスプーンの物を掬い確保する機能としてそのまま維持し実用性を図る。
【発明の効果】
【０００５】スプーンとフォークは洋食で使われることが多いが、本発明は一本で両機能をカバーできるため、どちらを使うかの選択の負担が必要なくなり、ホテル、レストラン、各家庭を問わず、特に大量にかつ効率的なサービスの提供を行うところでは、単に保有管理コストにとどまらず、配膳準備、洗浄作業における作業生産性の面で著しいメリットが得られる。
一方、実際の使用者にとっては思い違いで一方が足りなかったり、また使う必要もないのに両方を用意したりすることが少なくないが、実用面ではスプーンとフォークの持ち替えの必要がなくなり、世界中の人々の日々の食生活において著しい貢献が期待できる。
【発明を実施するための最良の形態】
【０００６】現在一般的に使われているスプーンのサイズは大から小サイズ迄、様々のものが存在するが、このスプーン形状のスプーン兼フォークは大きめのサイズのものは洋食、中華、和食にかかわらず実用的であり、箸の代用としての使用が可能である。
小サイズのものは喫茶、ケーキ、フルーツなどを食する時の場合に実用的である。
【実施例】
【０００７】レストラン、食堂等において以下のように使用可能である。
（大サイズ  ：スパゲティ、焼きそば、カツカレーライス等）
（小サイズ  ：コーヒ／紅茶、ケーキ、フルーツ  等）
【産業上の利用可能性】
【０００８】食品や化学工業品などを扱う産業の作業工程において、掬ったり、刺したりする道具や工具を使う場合に、このスプーン兼フォークの機能を応用し活用できる可能性がある。
【図面の簡単な説明】
【０００９】
【図１】スプーン形状のスプーン兼フォークの平面図である。
【符号の説明】
【００１０】１．フォーク串部の起点
２．数本からなる内向曲線形のフォーク串部
３．串部とならない三角形状部
４．スプーン底部
【図１】
2005224552.tif 000003
(57)【要約】【課題】  従来のまくらは部分的にのみ頚椎を支えていたため、頚部、肩の緊張を生み出していた。この点に注目し、全ての頚椎を均等に支える構造を有し、頚部、肩部の緊張を緩和するまくらを開発する。【解決手段】仰向けに寝た際、頚椎を支える側となるまくらの下縁において、両肩との干渉を避けるよう外側をアーチ型に欠損させた。次に、残したまくら中央部に頭部を支えるための陥凹部を設け、これに連続して頚部を支えるための上方に凸のスロープを設置した。スロープ内には頚椎を軽く包み込むための溝を創設した。【選択図】    図１
2005224555.tif 000002
【特許請求の範囲】
【請求項１】
頚部を支える下縁外側をアーチ状に欠損させることで両肩との干渉を避け、頭部を支えるために設けた陥凹部から連続して全ての頚椎を支えるためのスロープ構造を有するまくら。
【発明の詳細な説明】
【技術分野】
【０００１】本発明は、ひとが背臥する際、頭部から頚部の全てを支えることのできるまくらの形状に関するものである。
【背景技術】
【０００２】従来のまくらは、頭部のみを支えるものが一般的である。また、最近では頭部および頚部の一部を支える構造のまくらも考えられた。
【発明の開示】
【発明が解決しようとする課題】
【０００３】頭部に始まり上背部に終わる頚椎の構造上、従来のまくらはすべての頚椎を連続して支えることは不可能であり、頚部と敷布団の間に空間を残すことになっていた。また、全ての頚椎がまくらの上に載るように臥床すると、両肩もまくらの上に載り、結果として頚部とまくらの間には最大の空間を作ることとなる。その結果、頭頚部の重さにより頚部あるいは肩に緊張を強いることになっていた。本発明は、これらの欠点をなくし、頭部とこれに接続し上背中心部で胸椎に連続する頚椎全体を支えることが可能となるまくらの構造に関する。
【課題を解決するための手段】
【０００４】従来のまくらの首を支える側の外側部分をアーチ型に欠損させ、肩との干渉を排除した。さらに、頭部を支える部分は楕円形にやや陥凹させ、そこから頚部を支える部分を頚椎の生理的湾曲に合わせ上方に凸のスロープを設けた。さらにそのスロープの中央部分は頚部を軽く包み込むための溝を設けた。
【発明の効果】
【０００５】本発明で完成させたまくらは、ひとが背臥する際、頭部およびこれに連続し上背部に終わる全ての頚椎を局面として支えることが可能となる。さらに、頚椎の解剖学的湾曲に合わせたスロープを用いたため、頚部全体を均等に支えることが可能である。また、これまでのまくらと異なり、両肩の部分を持ち上げることがない。以上の結果、頚部および肩に加わる緊張を著しく減弱することとなり、安眠することができる。
【発明を実施するための最良の形態】
【０００６】このまくらはスポンジ、あるいは低反発素材などを用いて形成することが適当である。場合によってはビニルなどを用いた空気まくらも考えられる。このまくらは健康な人はもちろん、頚部痛や肩こりのあるひとにも使用することが可能である。
【図面の簡単な説明】
【０００７】
【図１】まくらの斜視図である。
【図２】まくらの平面図である。
【図３】まくらの前面図である。
【図４】Ａ−Ａでの断面図である。
【図５】Ｂ−Ｂでの断面図である。
【図６】Ｃ−Ｃでの断面図である。
【符号の説名】
【０００８】１  まくら
２  頭部用陥凹部
３  頚部用スロープ
４  スロープ溝
【図１】
2005224555.tif 000003
【図２】
2005224555.tif 000004
【図３】
2005224555.tif 000005
【図４】
2005224555.tif 000006
【図５】
2005224555.tif 000007
【図６】
2005224555.tif 000008
(57)【要約】【課題】  かみそりの刃体と刃体との間に間隔をつくり、刃体と刃体との間に詰まった体毛を処理し、洗浄することを可能にする。【解決手段】  刃台１に刃体３を、天板２に刃体４をそれぞれ設けて、前記天板を前記刃台に対して、可動状態に取り付ける。【選択図】    図１
2005224553.tif 000002
【特許請求の範囲】
【請求項１】
刃台と天板にそれぞれ刃体を設け、前記天板は、前記刃台に対して可動状態に取り付けられていることを特徴とするかみそり。
【発明の詳細な説明】
【技術分野】
【０００１】  本発明は、かみそりを衛生的に使用するための装置に関する。
【背景技術】
【０００２】  従来のかみそりは、刃台と天板の間に２〜３枚の刃体が挟着され、刃体の刃縁を用いて体毛などを処理していた。
【特許文献１】  特開平６−１４２３５１号公報
【発明の開示】
【発明が解決しようとする課題】
【０００３】  しかしながら、かみそりは、処理した後の体毛などが刃体と刃体との間に詰まり、なかなか取り除くことができず、異臭を放つなど非常に不衛生であった。
【課題を解決するための手段】
【０００４】  本発明は、刃台と天板にそれぞれ刃体を設けて、刃台と天板が結合されており、天板が自在に可動することで上記課題を解決する。
【発明の効果】
【０００５】  本発明は、かみそりの刃体と刃体との間に詰まった体毛を処理し洗浄したい場合には、天板を動かすだけでかみそりの刃体と刃体との間に間隔ができ、かみそりを洗浄することが可能となる。また、刃体と刃体との間に間隔ができるので風の通りもよくなり、刃体が乾き易くなるので、刃体の錆び付きを抑えることも可能となる。
【発明を実施するための最良の形態・実施例】
【０００６】  本発明のかみそりは、図１に示されるように、組立刃体であって、中が空洞で１辺の中央部に突起部がある直方体を有する刃台１に刃体３を、１辺の中央部に溝がある直方体を有する天板２に刃体４をそれぞれ設けており、前記の１辺の中央部に溝がある直方体を有する天板２は、前記の中が空洞で１辺の中央部に突起部がある直方体を有する刃台１と、可動自在のレール状結合で結合されている。
よって、天板２を刃台１から離すように動かすことにより、天板２に取り付けられた刃体４と刃台１に取り付けられた刃体３との間に間隔ができ、刃体３と刃体４との間に詰まった体毛を処理し、洗浄することが可能になる。
【０００７】    本発明のかみそりは、図２に示されるように、組立刃体であって、刃台１に刃体３を、天板２に刃体４をそれぞれ設けており、刃台１と天板２のどちらか一方の結合部に、選択された結合部を中心に天板２が刃台１に対して平行で自在に回転する仕組みを設けている。
これにより、天板２が、選択されたどちらか一方の結合部を中心にして回転するので、刃台１に取り付けられた刃体３と、天板２に取り付けられた刃体４との間に間隔ができ、刃体３と刃体４との間に詰まった体毛を処理し、洗浄することが可能になる。
【００００８】    本発明のかみそりは、図３に示されるように、組立刃体であって、刃台１に刃体３を、天板２に刃体４をそれぞれ設けており、天板２が磁石やはめ込み式結合などにより、刃台１から自在に脱着する仕組みを設けている。
これにより、天板２を刃台１から取り外すことができるので、刃台１に取り付けられた刃体３と、天板２に取り付けられた刃体４との間に間隔ができ、刃体３と刃体４との間に詰まった体毛を処理し、洗浄することが可能になる。
【０００９】    本発明のかみそりは、図４に示されるように、組立刃体であって、刃台１に刃体３を、天板２に刃体４をそれぞれ設けており、刃台１と天板２に対して平行な両者を貫通する中心軸５を設けて、中心軸５を支点にして天板２が自在に動く仕組みを設けている。
これにより、天板２を回転させることができるので、刃台１に取り付けられた刃体３と、天板２に取り付けられた刃体４との間に間隔ができ、刃体３と刃体４との間に詰まった体毛を処理し、洗浄することが可能になる。
【図面の簡単な説明】
【図１】  本発明に係わる刃台と天板が可動自在なレール状結合されているかみそりの正面方向から見た平面図である。
【図２】  本発明に係わる刃台と天板のどちらか一方を中心にして、天板が刃台に対して、平行で自在に回転するかみそりを正面方向から見た平面図である。
【図３】  本発明に係わる刃台と天板が脱着自在に結合されたかみそりを正面方向から見た平面図である。
【図４】  本発明に係わる刃台と天板に対して、平行な両者を貫通する中心軸を支点にして、天板が自在に動くかみそりを正面方向から見た平面図である。
【符号の説明】
１  刃台
２  天板
３  刃台に設けられた刃体
４  天板に設けられた刃体
５  刃台と天板に対して平行な両者を貫通する中心軸
【図１】
2005224553.tif 000003
【図２】
2005224553.tif 000004
【図３】
2005224553.tif 000005
【図４】
2005224553.tif 000006
(57)【要約】【課題】従来、スプーンとつまようじは別々だった。従って不便であった。それを一つにして、便利で安全なつまようじ付き使い捨てスプーンを提供する。【解決手段】スプーン▲１▼の持ち手部分▲２▼につまようじ▲３▼を成型したことを特徴とする。【選択図】図１
2005224556.tif 000002
【特許請求の範囲】
【請求項１】
使い捨てスプーンにつまようじを一体成型したつまようじ付き使い捨てスプーン
【発明の詳細な説明】
【技術分野】
【０００１】この発明は、使い捨てスプーンにつまようじを一体成型した、つまようじ付き使い捨てスプーンに関するものである。
【背景技術】
【０００２】従来、つまようじと、使い捨てスプーンは、別々になっていた。
【発明の開示】
【発明が解決しようとする課題】
【０００３】  これは次のような問題があった。
カレーライス等、スプーンで食べる食品には、欧米の飲食用具のためか、つまようじがついていなかった。必要なときにつまようじが無く、不便な場合が多かった。
つまようじをスプーンと一緒に袋に入れても、袋の開封時、つまようじを落として汚したり、指を傷つけたりと問題が発生する。本発明は、以上の欠点をなくすためのものである。
【課題を解決するための手段】
【０００４】合成樹脂等で作られるスプーンに、つまようじを一体成型する。
以上の構成よりなるつまようじ付き使い捨てスプーンである。
【発明の効果】
【０００５】  スプーンとつまようじが一体成型されているので、食事後必要になった場合探す手間が省ける。
つまようじを本体より少し短く成型するため、本体が鞘の役目も果たし開封時手や指を傷つけることがない。
つまようじが、固定してあるため、落としたり、なくしたり、置いて汚れたりもせず衛生的である。
もともと大きな力を加える個所ではなく、つまようじを成型しても強度、大きさには、何のさしつかえもない。
【発明を実施するための最良の形態】
【０００６】  以下、本発明の実施例について説明する。
合成樹脂などの材質で作られるスプーン▲１▼の持ち手部分▲２▼につまようじ▲３▼を成型しているので、必要なとき折りとって使用すればよい。
寸法上、現行のつまようじ（約６ｃｍ）より短く形成せざるをえない場合があるが、つまようじは歯ブラシの簡易的なものであり、歯の隙間の食べカスを取り除くには、３ｃｍ前後あれば十分に機能を果たす。
又、これはフオーク等にも利用できる。
【図面の簡単な説明】
【０００７】
【図１】本発明の正面図である。
【符号の説明】
【０００８】  ▲１▼本体
▲２▼持ち手部分
▲３▼つまようじ
【図１】
2005224556.tif 000003
(57)【要約】【課題】  小学生は治安の悪化に伴い防犯ブザー等を携帯することが多くなっているが、不審者に襲われそうになったとき小学生にも手が届きやすいランドセル等の背負いベルトに防犯ブザー等を取り付ける必要がある。従来では、面ファスナの付いた一対の留めベルトにより、背負いベルトに巻きつける箱状の防犯ブザー収納ケースがあるが、収納ケースに収まる防犯ブザーの大きさが限られており任意の防犯ブザーを取り付けられないという欠点、収納ケースがしっかりと固定できないという欠点がある。そこで、本発明は、ランドセルの背負いベルト等に防犯ブザー等をしっかりと取り付けることができる装置の提供を課題とする。【解決手段】  留め具１と、本体２と、留め具１と本体２との間に設けられ背負いベルト等が通される通路からなるバックル状の装置に、フックやリング等の吊下げ具等３を設ける。【選択図】  図１
2005224560.tif 000002
【特許請求の範囲】
【請求項１】
留め具１と、本体２と、留め具１と本体２との間に設けられ背負いベルト等が通される通路からなるバックル状の装置に、フックやリング等の吊下げ具等３を設けた背負いベルト等への防犯ブザー等の取り付け装置
【請求項２】
留め具１と、本体２と、留め具１と本体２との間に設けられ背負いベルト等が通される通路からなるバックル状の装置に、吊下げ具等３の代わりに、直接防犯ブザー等４を設けた背負いベルト等への防犯ブザー等の取り付け装置
【請求項３】
留め具１と、本体２と、留め具１と本体２との間に設けられ背負いベルト等が通される通路からなるバックル状の装置に、吊下げ具等３の代わりに、穴５を設けた背負いベルト等への防犯ブザー等の取り付け装置
【発明の詳細な説明】
【技術分野】
【０００１】  この発明は、ランドセルの背負いベルト等に、防犯ブザー等を取り付けることができる装置に関するものである。
【背景技術】
【０００２】  従来では、背負いベルトを通すベルトがついた箱状の防犯ブザー収納ケース、又は面ファスナの付いた一対の留めベルトにより背負いベルトに巻きつける箱状の防犯ブザー収納ケースがある。
【特許文献】  特許出願２０００−９６９８９
【発明の開示】
【発明が解決しようとする課題】
【０００３】  小学生は治安の悪化に伴い防犯ブザー等を携帯することが多くなっているが、不審者に襲われそうになったとき小学生にも手が届きやすいランドセルの背負いベルトに防犯ブザー等を取り付ける必要がある。従来では、面ファスナの付いた一対の留めベルトにより、背負いベルトに巻きつける箱状の防犯ブザー収納ケースがあるが、収納ケースに収まる防犯ブザーの大きさが限られており任意の防犯ブザーを取り付けられないという欠点、収納ケースをしっかりと固定できないという欠点がある。そこで、本発明は、ランドセルの背負いベルト等に防犯ブザー等をしっかりと取り付けることができる装置の提供を課題とする。
【課題を解決するための手段】
【０００４】  留め具１と、本体２と、留め具１と本体２との間に設けられ背負いベルト等が通される通路からなるバックル状の装置に、フックやリング等の吊下げ具等３を設ける。なお、吊下げ具等３を設ける位置は、留め具側、本体側のどちらでもよい。
【発明の成果】
【０００５】  小学生が不審者に襲われそうになったときに必要な防犯ブザー等を、手の届きやすい位置であるランドセルの背負いベルト等に、しっかりと取り付けることができる。
【発明を実施するための最良の形態】
【０００６】  留め具１と、本体２と、留め具１と本体２との間に設けられ背負いベルト等が通される通路からなるバックル状の装置に、フックやリング等の吊下げ具等３を設ける。なお、吊下げ具等３を設ける位置は、留め具側、本体側のどちらでもよい。バックル状の装置を、ランドセル等の背負いベルトの胸の辺りに取り付け、吊り下げ具等３に防犯ブザー等を吊り下げる。
【実施例】
【０００７】  留め具１と、本体２と、留め具１と本体２との間に設けられ背負いベルト等が通される通路からなるバックル状の装置に、吊下げ具等３の代わりに、直接、防犯ブザー等４を取り付けても、同等の効果がある。なお、防犯ブザー等４を設ける位置は、留め具側、本体側のどちらでもよい。【０００８】  留め具１と、本体２と、留め具１と本体２との間に設けられ背負いベルト等が通される通路からなるバックル状の装置に、吊下げ具等３の代わりに、穴５をあけ、防犯ブザー等を取り付けられるようにしても、同等の効果がある。なお、穴５を設ける位置は、留め具側、本体側のどちらでもよい。
【図面の簡単な説明】
【０００９】
【図１】  吊下げ具等を設けた背負いベルト等への防犯ブザー等の取り付け装置の全体図
【００１０】
【図２】  防犯ブザー等が直接の取り付けられた背負いベルト等への防犯ブザー等の取り付け装置の全体図
【００１１】
【図３】  穴を設けた背負いベルト等への防犯ブザー等の取り付け装置の全体図
【符号の説明】
【００１２】  １  留め具
２  本体
３  吊下げ具等
４  防犯ブザー等
５  穴
【図１】
2005224560.tif 000003
【図２】
2005224560.tif 000004
【図３】
2005224560.tif 000005
(57)【要約】【課題】  従来の電気毛布、電気カーペット、ソフト電気あんか及び平型電気あんかを、手軽にマイナスイオンタイプにするのが課題である。【解決手段】  マイナス電源の出力を抵抗を通してヒーターの片方に接続、又はマイナスイオンと遠赤外線を放射する鉱物を原料とした塗料を、クッションに浸透乾燥させて使用するものである。【選択図】  図１
2005224551.tif 000002
【特許請求の範囲】
【請求項１】
マイナス電源４よりの出力５を、抵抗６を通して電気毛布１のヒーター２の片方に接続した、マイナス電位電気毛布。
【請求項２】
請求項１に記載のマイナス出力５を、抵抗６を通して電気カーペットのヒーター２の片方に接続した、マイナス電位電気カーペット。
【請求項３】
請求項１に記載のマイナス出力５を、抵抗６を通してソフト電気あんか７のヒーター２の片方に接続し、ヒーター２の中間に接続されたサーモスタット８の両端に抵抗９を入れてなる、マイナス電位ソフト電気あんか。
【請求項４】
請求項１に記載のマイナス出力５を、平型電気あんか１０の金属ケース１２に抵抗６を通して接続した、マイナス電位平型電気あんか。
【請求項５】
あんかの外部をくるむように使用するクッションに、マイナスイオン放射塗料を浸透乾燥した、マイナスイオン平型電気あんか。
【請求項６】
請求項５に記載の、マイナスイオン放射塗料を浸透乾燥したクッションを使用した、マイナスイオンソフト電気あんか。
【発明の詳細な説明】
【技術分野】
【０００１】  電気毛布・電気カーペット・ソフト電気あんか及び平型電気あんかを、特に電極を設ける必要なく、マイナス電位及びマイナスイオン化する方法に関する。
【背景技術】
【０００２】  従来より電位治療器は広く製品化されており、又温熱兼用の物も多く製品化されている、しかしこの場合、温熱用ヒーターとは別に電位用電極が使用されている、これに対して本発明のものは、ヒーターを電極兼用にすることで、別に電極を設ける必要を無くしたものである。【０００３】  従来の電位治療器は、マイナスとプラスの両電位が電極に付加されているが、本発明のものは、特にマイナス電位が多く付加され、マイナスイオン効果が期待出来るものである。
【発明の開示】
【発明が解決しょうとする課題】
【０００４】  本発明が解決しょうとする課題は、電気毛布・電気カーペット・ソフト電気あんか及び平型電気あんかに、電極を設ける事なく、電位及びマイナスイオン化しょうとするものである。
【課題を解決するための手段】
【０００５】  この課題を解決する手段として、本発明のものは、既に設けられている温熱用ヒーターを、電極兼用にするものである。
【発明の効果】
【０００６】  発明の効果としては、ヒーターを電極兼用とすることで、特に別途電極を設ける必要が無くなるので、コスト面も安くなる他、既成の製品を簡単に改良することを可能にしたものである。
【発明を実施するための最良の形態】
【０００７】  マイナス電源は小形に作製可能で、既成のコントロールボックス内への組み込みも可能であるが、出来れば最初からコントロール基板に、マイナス電源回路も組み込む方が良い。
【実施例】
【０００８】  図によりその実施例を説明すれば、図１に図示せるものは、電気毛布１のコントロールボックス３内の基板に、マイナス電源４を組み込むものであるが、図１には説明の都合上マイナス電源４を外部に図示している、このマスナス電源４のマイナス出力５に抵抗６を通して、電気毛布１のヒーター２の片方に接続する、改良後に測定し−１２００ｉｏｎ／ｃｃを計測した、念のために他社の電位治療器を測定した所、−４１０ｉｏｎ／ｃｃと＋３５０ｉｏｎ／ｃｃの両方を計測した。【０００９】  図２に図示せるものは、ソフト電気あんか７の説明図で、この場合も電気毛布１と同じようにヒーター２を電極兼用にしたものである、マスナス電源４の出力５をで抵抗６を通して、あんか７のヒーター２の片方に接続する。  ソフトあんか７の場合は、ヒーター２の中間にサーモスタット８を入れ、ヒーター２の温度が異常に高くなるのを防止しているので、このまゝではこの部分でヒーター２の回路が時々切れるので、対策としてサーモスタット８と平行に抵抗９を入れる。【００１０】  図３に図示せるものは、平形電気あんか１０の説明図で、平型あんか１０の場合はヒーター２が金属ケース１２内に有るので、この金属ケース１２を電極と兼用する、マイナス電源４の出力５を抵抗６を通してこの金属ケース１２に接続する。【００１１】  あんかの場合マイナス電源４を使用する以外にも、半永久的にマイナスイオンと遠赤外線を放射する、微弱放射性鉱物を原料としたマイナスイオン塗料を、あんかのクッションに浸透乾燥させて使用する方法がある、マイナス電位の場合と異なりこの場合は、あんかを覆う外カバーにより、放射イオン量が減衰する欠点が有る。【００１２】  このマイナスイオン塗料使用のあんかを測定すると、ソフト電気あんか７の場合は、−６４５ｉｏｎ／ｃｃを計測、平型電気あんか１０の場合減衰の原因になる外カバー無しで、−９３５ｉｏｎ／ｃｃを計測した。
【産業上の利用可能性】
【００１３】  このように普通の電気毛布１、電気カーペット、ソフト電気あんか７及び平型電気あんか１０を、手軽にマイナスイオンタイプにすることが可能なものである。
【図面の簡単な説明】
【００１５】
【図１】  マイナス電位電気毛布の説明図を示すものである。
【図２】  マイナス電位ソフト電気あんかの説明図を示すものである。
【図３】  マイナス電位平型電気あんかの説明図を示すものである。
【符号の説明】
【００１６】１    電気毛布
２    ヒーター
３    コントローラー部
４    マイナス電源
５    マイナス出力部
６    抵抗
７    ソフトあんか
８    サーモスタット
９    抵抗
１０  平型あんか
１１  温度調節部
１２  平型あんかの金属ケース
【図１】
2005224551.tif 000003
【図２】
2005224551.tif 000004
【図３】
2005224551.tif 000005
(57)【要約】【課題】従来、一般に於いて、空気中の塵や埃ガス細菌等を、網状繊維を細かくし幾重にも繊維を重ねて乃至は静電、活性炭などを利用し同様に、空気中の塵や埃、ガス、細菌類、花粉等を捕捉しようとしていた。【解決手段】本発明は、【請求項１】、【請求項２】、【請求項３】によって空気中の塵や埃、ガス、細菌類、花粉等の吸着解離、殺菌乃至除菌を行って空気清浄化する働きを有する呼気への機能性マスクを提供する。【選択図】なし【特許請求の範囲】
【請求項１】
当該発明は、機能性を持つマスクに関する。本発明は、マスクにマイナスイオンを発生する組成体を附与し、空気中の塵や埃、ガス、細菌、花粉等をマイナスイオンにより解離除菌する事を特徴とする機能性マスク。
【請求項２】
本発明は、マスク繊維素成体に銀活性炭乃至殺菌セラミックスを塗布乃至織り込み定型のマスクを形成し、望ましくは立体形がよく鼻部の形状に自在合わせを可能とした
【請求項１】
の機能性マスク。
【請求項３】
本発明は、マスク繊維素成体に希土類焼結磁性体乃至天然鉱石低レベル放射性物質、ラジウム、ゲルマニウム等利用範囲で法規制レベルの３７０ベクレル以内を織り込みホルミシス効果を有し、マスク機能性を更に向上させた
【請求項１】
、
【請求項２】
の機能性マスク。
【発明の詳細な説明】
【発明の詳細な説明】
【技術分野】
【０００１】本発明はマイナスイオン乃至殺菌セラミックスにより空気中の塵や埃、ガス、細菌類、花粉等の吸着解離、殺菌乃至除菌を行って呼気への空気清浄化する働きを有する機能性マスクに関する。
【背景技術】
【０００２】従来、一般に於いて、空気中の麈や埃ガス細菌等を、網状繊維を細かくし幾重にも繊維を重ねて乃至は静電、活性炭などを利用し同様に、空気中の塵や埃、ガス、細菌類、花粉等を捕捉しようとしていた。
【発明が解決しようとする課題】
【０００３】ところが、上記した従来の一般的マスクでは、その性能乃至機能性は低く空気中の麈や埃、ガス、細菌類、花粉等を捕捉不十分であった。
【０００４】本発明は、上記の課題を解決することが出来る機能性マスクを提供することを目的とする。
【課題を解決するための手段】
【０００５】本発明は、マスクの持つ役割に機能性を持たせマイナスイオン乃至殺菌セラミックスの繊維への利用を特徴とするマスクを提供するものであり、以下の構成にも特徴を有する。
【０００６】本発明は、
【請求項１】
、
【請求項２】
、
【請求項３】
によって空気中の塵や埃、ガス、細菌類、花粉等の吸着解離、殺菌乃至除菌を行って空気清浄化する働きを有する呼気への機能性マスクを提供する。
(57)【要約】【課題】縦軸に歯車と泡立器をつけ金ザルを設けた味噌及び類似食材の溶き漉し器具を提供する。【解決手段】グリップの上面に溝を設け、縦軸の上部に歯車と下部に泡立器を設け、これに金ザルを装着したことを特徴とする味噌及び類似食材の溶き漉し器具。【選択図】図１
2005224578.tif 000002
【特許請求の範囲】
【請求項１】
グリップ上部に溝を設け、縦軸上部に歯車を設け、グリツプ側面を連続して握り締める事で下部の泡立器が半回転し、金ザルを装着したことを特徴とする味噌及び類似食材の溶き漉し器具。
【発明の詳細な説明】
【技術分野】
【０００１】本発明は、縦軸に歯車と泡立器をつけ金ザルを装着した味噌及び類似食材の溶き漉し器具に関するものである。
【背景技術】
【０００２】従来、金ザルとお玉などを使って味噌及び類似食材の溶き漉し器具があった。
【発明の開示】
【発明が解決しょうとする課題】
【０００３】そのために、次のような問題点があった。
（イ）両手を使い大変時間がかかっていた。
（ロ）ふたつの器具を用いて掃除も大変であった。
本発明は、これらの問題点を解決するためになされたものである。
【課題を解決するための手段】
【０００４】  グリップ上部に溝を設け、縦軸の上部に歯車を設ける。縦軸の下部に泡立器を設ける。その泡立器に金ザルを装着する。以上を特徴とする味噌及び類似食材の溶き漉し器具である。
【発明の効果】
【０００５】  片手で短時間で、しかも早く簡単に作業、掃除も出来る味噌及び類似食材の溶き漉し器具である。
【発明を実施するため最良の形態】
【０００６】以下、本発明の実施の形態について説明する。
（イ）グリップ（１）の上部に溝を設け、縦軸（３）の上部に歯車（２）を設け、下部に泡立器（４）を設ける。
（ロ）泡立器（４）の部分に金ザル（５）を装着し、接続したワッカ（６）をフック（７）にとめる。
本発明は以上のような構成で、これを使用するときは、グリップ（１）の側面を連続して握り締めることで、歯車（２）が半回転して縦軸（３）をかえして泡立器（４）も連続して半回転運動し、金ザル（５）の中に入れた味噌及び類似食材を溶き漉し器具であり、片手で簡単かつ短時間に、しかも掃除も早く終わることができる味噌及び類似食材の溶き漉し器具である。
【図面の簡単な説明】
【０００７】
【図１】本発明の斜視図
【図２】本発明の実施例を示す斜視図
【符号の説明】
【０００８】    １  グリツプ
２  歯車
３  縦軸
４  泡立器
５  金ザル
６  ワッカ
７  フック
【図１】
2005224578.tif 000003
【図２】
2005224578.tif 000004
(57)【要約】【課題】従来の筋力トレーニングのフォーム習得に関する説明方法、文章、図、および動画では、姿勢、動き、リズム、呼吸が同時に説明、解説されているため、筋力トレーニングの経験の有無にかかわらず、適切なフォームの習得が困難という問題があった。【解決手段】筋力トレーニングのフォームを、「始める時の姿勢」、「動作とリズム」、「呼吸」など多段階に分けて習得する。トレーニング方法を説明する文章においても、「始める時の姿勢」、「動作とリズム」、「呼吸」など、注意事項をそれぞれの段階ごとに説明した。またトレーニング方法を説明する図においても、「動作とリズム」、「息を吸う」、「息を吐く」などの説明を図示することで、筋力トレーニングの経験の有無にかかわらず、適切なフォームを従来の方法より安全かつ容易に習得するが可能となる。また動画においても、息を吸うときには風船様のイラスト、もしくはアニメーションが膨らみ、息を吐くときには風船様のイラスト、もしくはアニメーションがしぼむようにする。これによって、呼吸法の習得を容易にする。【選択図】図３
2005224572.tif 000002
【特許請求の範囲】
【請求項１】
筋力トレーニングの経験の有無に関わらず、安全かつ容易に、適切な筋力トレーニングのフォームを習得できるよう、一連のフォームを「始める時の姿勢」、「動作とリズム」、「呼吸」などと多段階に分け、順を追って習得する方法。
【請求項２】
請求項１に記載する「多段階に分け、順を追って筋力トレーニングのフォームを習得する方法」を説明する文章において、注意事項をそれぞれの段階ごとに分けて説明する方法。
【請求項３】
請求項１に記載する「多段階に分け、順を追って筋力トレーニングのフォームを習得する方法」を説明する図において、「始める時の姿勢」と「終わった時の姿勢」を写真、もしくはイラストとして配置し、両者の間に動きをあらわす矢印を二本描き、それぞれの矢印付近に「１．２．３で立ち上がり、はいで起立の姿勢」、「１．２．３でしゃがみ、はいで元の姿勢」といった動作とリズム、「息を吸う」、「息を吐く」といった呼吸を記載する方法。
【請求項４】
請求項１に記載する「多段階に分け、順を追って筋力トレーニングのフォームを習得する方法」を説明する映像において、多段階に分けた動きを動画として表現することに加え、息を吸う、息を吐くに対応させて、風船様のイラスト、もしくはアニメーションを膨張、収縮させることによって呼吸を説明する方法。
【発明の詳細な説明】
【技術分野】
【０００１】  本発明は、筋力トレーニングのフォームの習得に関する。
【背景技術】
【０００２】  従来の筋力トレーニングのフォーム習得に関する説明の方法、文章、図および映像では、姿勢、動き、リズム、呼吸が同時に説明、解説されている（例えば、図１参照）。
【発明の開示】
【発明が解決しようとする課題】
【０００３】  上記に述べた従来の方法では、筋力トレーニングの経験の有無に関わらず、説明の理解が困難で、適切なフォームを習得するにも多くの時間が必要とされていた。【０００４】  またフォームの習得が不十分なまま筋力トレーニングを行うことで、トレーニングの成果が期待できないばかりか、血圧が過度に上昇したり、関節障害などを引き起こすなど危険なこともあった。【０００５】  本発明は、このような従来の方法が有していた問題を解決しようとするものであり、筋力トレーニングの経験の有無にかかわらず、適切なフォーム習得を、安全かつ容易に実現することを目的とするものである。
【課題を解決するための手段】
【０００６】  そこで、本発明は上記目的を達成するために、筋力トレーニングの一連のフォームを「始める時の姿勢」、「動作とリズム」、「呼吸」などと多段階に分け、順を追って習得できるようにしたものである。【０００７】  また、第２の課題解決手段として、フォームを説明する文章において、注意事項をそれぞれの段階ごとに分けて説明したものである。【０００８】  また、第３の課題解決手段として、フォームを説明する図において、「始める時の姿勢」と「終わった時の姿勢」を写真、もしくはイラストとして配置し、両者の間に動きをあらわす矢印を二本描き、それぞれの矢印付近に「１．２．３で立ち上がり、はいで起立の姿勢」、「１．２．３でしゃがみ、はいで元の姿勢」といった動作とリズム、「息を吸う」、「息を吐く」といった呼吸などの説明をしたものである。【０００９】  また、第４の課題解決手段として、ビデオなどの映像では、多段階に分けた動きを動画として表現することに加え、息を吸う、息を吐くに対応させて、風船様のイラスト、もしくはアニメーションを膨張、収縮させることによって、呼吸の方法を説明したものである。
【発明の効果】
【００１０】  上述したように本発明は、順を追って筋力トレーニングを行うため、筋力トレーニング経験の有無にかかわらず、適切なフォームを、従来の方法より安全かつ容易に習得できる。【００１１】  また、映像では、息を吸う方法、吐くタイミングを風船様のイラスト、もしくはアニメーションを表示して説明することで、正しい呼吸法を容易に習得し、安全に筋力トレーニングを実施できるという効果を発揮する。
【発明を実施するための最良の形態】
【００１２】  以下、本発明の実施の形態を図２〜図４（筋力トレーニング種目、スクワット）を例に説明する。【００１３】  図２においては、スクワットの説明文を、始める時の姿勢１、動作とリズム２、呼吸３の３段階に分けて、注意事項をそれぞれの段階ごとに説明することで、筋力トレーニングのフォームを、従来の方法より安全かつ容易に理解できるという効果を発揮する。【００１４】  図３においては、スクワットの「始める時の姿勢」の写真、もしくはイラスト１と、「終わった時の姿勢」の写真、もしくはイラスト２を記載する。【００１５】「始める時の姿勢」と「終わった時の姿勢」を写真、もしくはイラストの間に動きをあらわす二本の矢印３、６を描く。矢印方向に対応した「１．２．３で立ち上がり、はいで起立の姿勢」４，「１．２．３でしゃがみ、はいで元の姿勢」７という動作の説明を入れる。「息を吐く」５、「息を吸う」８という呼吸の説明を入れることで、一目で理解できるという効果を発揮する。【００１６】  スクワットの動画の一部を抜粋した図４においては、息を吸いきった時には風船様のイラスト、もしくはアニメーション１が最大限に膨らみ、息を吐ききったときには風船様のイラスト、もしくはアニメーション２が最小限にしぼむように大きさを変化させていく。これによって、一目で呼吸の方法が理解できるという効果を発揮する。
【図面の簡単な説明】
【００１８】
【図１】従来のスクワットの方法の説明図
【図２】スクワットの方法の説明文
【図３】スクワットの方法の説明図
【図４】スクワットの動画の一部を抜粋した図
【図１】
2005224572.tif 000003
【図２】
2005224572.tif 000004
【図３】
2005224572.tif 000005
【図４】
2005224572.tif 000006
(57)【要約】【課題】  花を生けるときに、花の茎や枝が短く、花が花瓶の中に沈んでしまう事を防ぐ花瓶に入れる支え台を提供する。【解決手段】  支台の中心部に中空軸を設け、支台を中空軸でささえる。脚から上方に直立して伸びたスベリ軸と、支台から伸びた中空軸とネジで止め、スベリ軸を移動させる事により高さを調節し、ネジを止めることにより固定することができることを特徴とする。【選択図】  図１
2005224574.tif 000002
【特許請求の範囲】
【請求項１】
支台の中心部に中空軸を設け、支台を中空軸でささえ、中空軸の下部よりスベリ軸の下端に設けた脚より上方に直立して伸びたスベリ軸を出し入れ自由に設け、ネジで止め、スベリ軸を移動させる事により高さを調節し、ネジを止め固定させることを特徴とする花瓶に入れる支え台。
【発明の詳細な説明】
【技術分野】
【０００１】  本発明は、花や茎や枝が短く、花を生けた場合、花が花瓶の中に沈みこんでしまう事を防ぐ支え台に関するものである。
【背景技術】
【０００２】  従来、花や茎や枝の長さが短い場合は、添木や接木をして高さを調節していたが、不安定であった。
花束をそのまま生ける場合は、添木や接木は不可能であった。
【発明の開示】
【発明が解決しようとする課題】
【０００３】  そのために，次のような問題点があった。
（イ）花を生ける時、花の茎や枝の長さが短い場合、添木や接木をしていたが、不安定で      あった。
ガラスの花瓶を使用した場合、見た目も良くなかった。
（ロ）花束をそのまま生ける場合は、花のボリュームに合せて花瓶を選ぶと花の茎の長さ      が短すぎて、添木や接木を使用して高さを調節することが不可能なため、花瓶を小      さめにし、花束を小分けして生けていた。
本発明は、これらの問題点を解決するためになされたものである。
【課題を解決するための手段】
【０００４】  支台（１）の中心部に中空軸（２）を設け、支台（１）を中空軸（２）でささえる。
中空軸（２）の下部よりスベリ軸（３）を出し入れ自由に設け、ネジ（４）で止め、スベリ軸（３）を移動させる事により高さを調節する。
スベリ軸（３）の下端に脚（５）を設ける。
以上を特徴とする花瓶に入れる支え台である。
【発明の効果】
【０００５】  本発明は、生け花をする場合、花の茎や枝が短いときに花瓶に支え台を入れることにより、花が花瓶の中に沈み込む事を防ぐ花瓶に入れる支え台である。
【発明を実施するための最良の形態】
【０００６】  以下、本発明の実施の形態について説明する。
（イ）支台（１）は円盤形で、周囲全面にゴム縁（１０）を設け、中心部に円孔（７）        と円孔（７）を中心として放射状に多数の孔（９）を設ける。
（ロ）支台（１）の中心部に中空軸（２）を設け、支台（１）を中空軸（２）でささえ        、これを上部とする。
（ハ）脚（５）部分は、花瓶の中に入れたときに安定させるために脚（５）の裏側にス        ベリ止めのゴム（６）を設け、脚（５）からスベリ軸（３）を垂直に直立させ、        これを下部とする。
（ニ）中空軸（２）の下部よりスベリ軸（３）を出し入れ自在に設けることにより、上        部と下部をネジ（４）によって止める。スベリ軸（３）を移動させることにより        高さを調節し、ネジ（４）で止め、固定させる。
（ホ）中空軸（２）に縦長の溝（８）を設け、ネジ（４）の頭部は溝（８）を上下に移        動自由とする。
本発明は以上のような構成で、これを使用するときは、花瓶（１１）を決め、花の茎や枝の長さを見て、花瓶に入れる支え台の高さをスベリ軸（３）を移動させ、高さを調節してネジ（４）で固定させる。花瓶（１１）の中に支台（１）の中心部の円孔（７）に指を入れて、花瓶（１１）の中でしっかりと安定させる。これにより花は花瓶の中に沈まず、花を生けることができる。
【図面の簡単な説明】
【０００７】
【図１】本発明の斜視図
【図２】本発明の要部拡大側面図
【図３】本発明の要部拡大上面図
【図４】本発明の使用状態を示す内部透視斜視図
【符号の説明】
【０００８】  １  支台
２  中空軸
３  スベリ軸
４  ネジ
５  脚
６  ゴム
７  円孔
８  溝
９  孔
１０  ゴム縁
１１  花瓶
【図１】
2005224574.tif 000003
【図２】
2005224574.tif 000004
【図３】
2005224574.tif 000005
【図４】
2005224574.tif 000006
(57)【要約】【課題】  スチームの品質を確実にコントロールできるコーヒーメーカーのスチーム管構造を提供する。【解決手段】  節流バルブ台１は連接管が設置され、下方にバルブ台が固定されている。バルブ台には回流管５が連接され、また、バルブ台内中空で連接管と回流管５が連通している。閉塞バルブ３はバルブ台内に設置され、且つ弾性体で、中央のバルブ体３１周辺縁に薄膜３２が設置されている。薄膜３２にはひだ３３が設置され、ひだ３３に通気孔３３１が設置されている。ひだ３３周辺縁がちょうどバルブ台内に当たり、バルブ体３１外径が回流管５内径に密封される。これによって、常態時、バルブ体３１は薄膜３２によって回流管５内径から離れ、閉塞バルブ３が通気孔３３１と回流管５に通じ、閉塞バルブがスチーム圧力を受け、バルブ体３１が薄膜３２を下へ加圧すると、バルブ体３１は回流管５を密封する。【選択図】    図１
2005224507.tif 000002
【特許請求の範囲】
【請求項１】
節流バルブ台、スチーム管、閉塞バルブ、バルブ台及び回流管を備えるコーヒーメーカーのスチーム管構造において、
節流バルブ台に連接管が設置され、下方にはバルブ台が固定され、バルブ台には回流管が連接され、バルブ台内中空では節流バルブ台の連接管と回流管が連通し、閉塞バルブはバルブ台内に設置され、閉塞バルブは弾性体であり、バルブ体、薄膜及びひだを有し、中央のバルブ体周辺縁には薄膜が設置され、薄膜にはひだが設置され、ひだに通気孔が設置され、ひだの周辺縁はバルブ台内に当たり、バルブ体外径が回流管内径に密封され、常態時、バルブ体は薄膜によって回流管内径から離れ、閉塞バルブがひだの通気孔と回流管に通じ、閉塞バルブがスチーム圧力を受け、バルブ体が薄膜を下へ加圧すると、バルブ体は回流管を密封することを特徴とするコーヒーメーカーのスチーム管構造。
【発明の詳細な説明】
【技術分野】
【０００１】
本発明は、コーヒーメーカーのスチーム管構造に関するもので、スチームの品質を確実にコントロールして、香りある味のコーヒーを淹れるものである。
【背景技術】
【０００２】
今日のコーヒーメーカースチーム管には、すべて節流バルブが設置され、スチームから流出するスチームの圧力をコントロールしている。
一般的に、圧力が足りないスチームとは、温度が足りないということで、通常大量の水気（水滴）が付着する。また、温度が低い水気はスチームを水気に変化させやすく、そのため、出力したほとんどは水気で、スチームではなくなる。これでは、コーヒーを入れても香りある味は出てこない。
【０００３】
しかし、節流バルブには、流れ出るスチームの圧力を高めただけのものがある。これは、始めは流れ出るものの、管が次第に冷却されて温度が下がって水蒸気になり、スチーム管からはやはり上述と同じように出力されてしまう。また、一部の水蒸気は水滴になり、スチーム管に留まる。これでは、更にコーヒーの香や味に影響することになる。
【発明の開示】
【発明が解決しようとする課題】
【０００４】
解決しようとする問題点は、圧力不足の時でも、水気として流出してしまい、香りあるコーヒーにならない点である。
【課題を解決するための手段】
【０００５】
本発明は、節流バルブ台、スチーム管、閉塞バルブ、バルブ台及び回流管から構成される。そのうち、節流バルブ台側面にスチーム管が連接され、節流バルブ台下方にはバルブ台が設置され、バルブ台は回流管に接続し、また、バルブ台内に閉塞バルブが設置される。実体であるバルブ体周辺には薄膜が設置され、更に薄膜にはひだが成形され、且つひだに通気孔が設置される。そして、ひだ周辺縁がバルブ台内にちょうど当たり、バルブ体外径が回流管内径を密封して対応する。これらによって、閉塞バルブがスチームの充分な圧力を受けると、バルブ体が薄膜を下へ加圧して、バルブ体が回流管を密封することを最も主要な特徴とする。
【０００６】
本発明のコーヒーメーカーのスチーム管構造は、圧力が不足した時の水蒸気はスチーム管から流出せず、回流管に入って再び再利用され、スチームの品質を確実にコントロールするという利点がある。
【発明を実施するための最良の形態】
【０００７】
図１及び図２に示すとおり、本発明の一実施例によるコーヒーメーカーのスチーム管構造は、バルブ台１、スチーム管２、閉塞バルブ３、バルブ台４及び回流管５から構成され、そのうち、節流バルブ台１側にスチーム管２が連接される。
【０００８】
節流バルブ台１内には連接管１１が設置され、連接管１１にはねじ紋１１１が成形される。更にワッシャー１２を設置し、下方のバルブ台４のねじ紋４１に螺合する。バルブ台４下方は連接管４２によって回流管５に固定され、バルブ台４内中空で節流バルブ台１の連接管１１と回流管５が連通する。また、閉塞バルブ３はバルブ台４内に設置され、且つ閉塞バルブ３は弾性体で、バルブ体３１、薄膜３２及びひだ３３を含み、中央のバルブ体３１周辺に薄膜３２を設置し、更に薄膜３２にひだ３３を設置する。ひだ３３には通気孔３３１が貫設され、ひだ３３周辺縁がちょうどバルブ台４内に合わさり、バルブ体３１外径が回流管５内径を密封して対応する。
【０００９】
これによって、図２に示すとおり、常態時のバルブ体３１は薄膜３２によって回流管５内径から離れ、閉塞バルブ３はひだ３３の通気孔３３１によって回流管５と通じている。また、図３に示すとおり、閉塞バルブ３がスチーム圧力を受けると、バルブ体３１が薄膜３２を下へ加圧し、バルブ体３１が回流管５を密封する。
【００１０】
このようにして、閉塞バルブ３がスチーム圧力を受け、バルブ体３１が薄膜３２を下へ加圧すると、バルブ体３１は回流管５を密封する。また、圧力が不足した場合は、水蒸気を戻し、圧力が足りる時のスチームはスチーム管から流れ、スチームの品質を確実にする。
【図面の簡単な説明】
【００１１】
【図１】本発明の一実施例によるコーヒーメーカーのスチーム管構造を示す分解斜視図である。
【図２】本発明の一実施例によるコーヒーメーカーのスチーム管構造を示す断面図である。
【図３】本発明の一実施例によるコーヒーメーカーのスチーム管構造を示す模式図である。
【符号の説明】
【００１２】
１  節流バルブ台、２  スチーム管、３  閉塞バルブ、４  バルブ台、５  回流管、１１  連接管、１２  ワッシャー、３１  バルブ体、３２  薄膜、３３  ひだ、４１  ねじ紋、４２  連接管、１１１  ねじ紋、３３１  通気孔
【図１】
2005224507.tif 000003
【図２】
2005224507.tif 000004
【図３】
2005224507.tif 000005